(57)【特許請求の範囲】
【請求項１】
眼鏡のテンプルの後端を、滑り止めのテンプル用穴に前側から挿入し、さらに滑り止めの後側からモダンを接続したジョイントをジョイント用穴に挿入するとともに、滑り止めに対するテンプルとジョイントの挿入量を独立して各々調節して固定する事により、滑り止めの位置や、レンズから滑り止め及び、滑り止めからモダンまでの長さを独立して調整でき、しかも挿入したテンプル及びジョイントがそれぞれ、滑り止めの反対側からはみ出る事のない長手方向に長さを有する一個の滑り止めを持つ眼鏡。
【請求項２】
前記滑り止めを顔に当接し、メガネの重量を支える請求項１記載の眼鏡。
【請求項３】
前記滑り止めを頬骨の上側窪みに押し付け、さらにモダンを側頭部の出っ張り、あるいは耳の出っ張りに当てて装着する請求項１、２の何れかに記載の眼鏡。
【発明の詳細な説明】
【技術分野】
【０００１】  本発明は眼鏡のレンズからモダンまでの長さと幅を簡単に調整でき、又、顔に跡が付かず、なお且つお洒落な眼鏡に関するものである。
【背景技術】
【０００２】  従来の眼鏡は顔に合わせる時専用工具でテンプルやモダンを切ったり曲げたりして長さや幅を調整しているが簡単に調整できず熟練も必要である。
そこで上記問題を解決する為、プラスチックのテンプルやモダンに芯がねを挿入しモダンの芯がねの差し込み量を変えてテンプルの長さを調節するものもあるが、調整範囲が狭い問題がある（例えば、特許文献１又は２参照）。
特許文献１及び特許文献２によればテンプル又はモダンの何れか一方の差し込み量の調整しかできず調整範囲が狭い問題がある。一般的に眼鏡のモダンやテンプルは相当細く作られているが、このテンプルやモダンの中に内径に対して非常に長い穴を設ける事は製造上非常に難しい。さらに部品点数が多いので製造が難しくコストも上がる。また、両者ともプラスチックのテンプルにしか対応できない。さらに幅を調整するにはテンプルを曲げて調整するが専用工具が必要である。
又、超弾性フレームの眼鏡は復元性が有るが曲げても元に戻ってしまう性質の為、テンプルを曲げる事が出来ず鼻パッドによって鼻に押し付けて顔の中央に寄せる為片方の鼻に力が懸り非常に痛くなる。そしてテンプルの長さが調整できる眼鏡に於いてはテンプルに設けた芯線がむき出しで美観を損なう。違う雰囲気の眼鏡を掛ける為にはフレームごとメガネを交換しなければならず費用がかかる。
【先行技術文献】
【特許文献】
【０００３】
【特許文献１】特開２００９−１７５２０４号公報
【特許文献２】特開２０１０−６０６２４号公報
【発明の概要】
【発明が解決しようとする課題】
【０００４】  解決しようとする課題は簡単に顔の形に合わせてフィッティングでき快適でファション性に富んだ眼鏡を提供することである。
【課題を解決するための手段】
【０００５】請求項１の手段として、テンプル２の後端を、滑り止め３にテンプル用穴６に前側から挿入して滑り止め３に固定し、後端にモダン５を接続したジョイント４の前端を、滑り止め３に設けられたジョイント用穴６に後側から挿入して滑り止め３にジョイント４を固定すると共に、滑り止め３に対するテンプル２とジョイント４の挿入量を各々調節することにより、リム１０からモダン５までの長さを調整する。その時滑り止めの反対側から其々の端がはみ出さない長さの滑り止めとする。【０００６】請求項２の手段として滑り止め３を顔に当接してメガネの重量を支える。【０００７】請求項３の手段として滑り止め３を頬骨の上側の窪みに押し当て、眼鏡の重量を頬骨で支え、屈曲自在（例えば針金）なジョイント４を曲げてモダン５を窪みの上側の側頭部や耳の内側の出っ張りに当てて装着する。
【発明の効果】
【０００８】請求項１の発明の眼鏡によれば滑り止め３の穴にテンプル２とジョイント４を別々の穴に差し込み固定するのでメガネの長さの調節範囲が大きくできる。その為、先行技術文献に比較して滑り止め３の穴を短くできる。その結果穴自体を大きくでき製造が簡単になる。さらにテンプル２とジョイント４は別々の素材にする事が出来、滑り止め３と独立しているので、お互いの長さ、位置、を自由に調整でき、任意に曲げる事も出来、眼鏡のフィッティングが簡単に行える。【０００９】請求項２の発明の眼鏡によれば滑り止め３を長くしておけば、メガネの重量を受け止める事が出来る。【００１０】請求項３の発明の眼鏡によれば滑り止め３が頬骨の上側に当たり眼鏡の重量を支え、モダン５が上側に上がるのを耳などの出っ張りに当てる事で止める事が出来る。したがってリム１０が下に落ちる事が無くなり、鼻パッドが無くてもブリッジ１やリム１０が鼻や顔から浮かせる事が出来る為、鼻や顔に跡が付かない。しかも耳の後ろ側までモダン５を回す必要が無く、従来の眼鏡に比べてリム１０からモダン５までの長さを非常に短くできる。鼻パッドが不要でありリム１０を好きな形にする事が出来製造が簡単で有り、デザインの自由度が増しお洒落な眼鏡がデザインできる。例えばリム１０を瞳孔と同じ大きさにすることも可能である。
鼻パッドを有する従来の眼鏡の場合でも、頬骨の上側で重量を支えるので、鼻パッドにかかる重力を軽減出来、鼻が痛くならず、跡もつきにくい。
滑り止め３をもみあげ部に来るようにすると髪が生えている為より跡が付きにくい。
【図面の簡単な説明】
【００１１】
【図１】図１は鼻パッドの無い眼鏡で滑り止め３にテンプル２を差し込みさらにジョイント４を少し差しこんで眼鏡の長さを長くし上から見た図である。滑り止め３は左右の間隔が狭くなる位置にしてある。
【図２】図２はテンプル２およびジョイント４の差し込む量を最大にして眼鏡の長さを短くして有り、上から見た図である。滑り止め３は左右の間隔が広くなる位置にしてある。又テンプル２を曲げてリム１０を左にずらせた図である。
【図３】図３は図１に於いて右側の滑り止め３をモダン５側から見た図でありテンプル用穴６とジョイント用穴７が別の形にしてある。
【図４】図４（Ａ）は滑り止め３にガイド８を設けた平面図である。（Ｂ）は（Ａ）に於いて滑り止め３にガイド８を差し込んだ平断面図である。
【図５】図５は鼻パッドの無い眼鏡を横から見た図であり屈曲自在（例えば針金）なジョイント４を上側に曲げて（Ａ）はモダン５が側頭部に滑り止め３の近辺で当たるようにした図である。（Ｂ）はモダン５が滑り止め３より後ろ側で測頭部に当たるようにした図である。ジョイント４とモダン５を同じ大きさにした別実施例である。
【図６】図６は鼻パッドが無い眼鏡を装着して横から見た作用図で有り、（Ａ）はモダン５を耳の上側（耳輪）で当てる例を示す図である。（Ｂ）はモダン５を中間で耳に当てる例を示す図である。（Ｃ）はモダン５を耳の穴の少し上側で耳に当てる例を示す図である。
【図７】図７はテンプル２滑り止め３モダン５の平断面図であり、モダン５の中空部に重り１１が取り付けてある。
【図８】図８はカバー１２を取り付け横から見た図である。
【図９】図９は図８を裏側から見た拡大図である。
【図１０】図１０の（Ａ）は滑り止め３がカバー１２から少し出た図である。（Ｂ）は滑り止め３が別のカバー１２に隠れた実施例を示す図である。
【図１１】図１１の（Ａ）はカバー１２をモダン５を側から見た図である。（Ｂ）はカバー１２の中に滑り止め３をはめ込むタイプの別実施例をモダン５側から見た図である。
【図１２】図１２滑り止め３とカバー１２の別実施例を示すものであって、（Ａ）は滑り止め３に開口部をもつカバー１２を取り付けた図で有り２個のテンプル用穴とジョイント用穴を設けてある。（Ｂ）は（Ａ）の滑り止め３を１８０度回転させカバー１２の中にはめ込んだ図である。
【図１３】図１に於いて右側の滑り止め３をモダン５側から見た別実施例を示す図で有り、図３のテンプル用穴６とジョイント用穴７が同じ形状にして一個ずつ設けてある。
【発明を実施するための形態】
【００１２】  発明の実施の形態を図１で示すと滑り止め３にテンプル２及びジョイント４を差し込んでモダン５を連結する。滑り止め３に差し込むテンプル２およびジョイント４は差し込み量を調整し適当な位置で固定する。
発明の実施の形態を図６で示すと、滑り止め３を顔に当接するとその摩擦によりメガネの重量を受ける事が出来る
発明の実施の形態を図４で示すと、滑り止め３に、テンプル２或いはジョイント４を軽く湾曲させて挿入すると湾曲部が抵抗になり簡単に固定でき、ガイド８を曲げると、超弾性テンプルも曲げる方向、量によってその向きや位置を調整保持でき最適なフィティングが可能となる。
発明の実施の形態を図５および図６で示すと滑り止め３を頬骨の上側の窪みに当て眼鏡の重量を受ける。そしてモダン５を側頭部の膨らみや耳の内側の出っ張り（耳輪、耳の穴の少し上側）に当てリム１０が滑り止め３を中心に下に回転しようとする力を打ち消す。
【実施例】
【００１３】  本眼鏡はブリッジ１、リム１０に連結したテンプル２及び滑り止め３ジョイント４およびモダン５で構成するが、滑り止め３にそれぞれの差し込み量を調節し最適な位置にセットしてやり長さを調節できる。滑り止め３は交換可能とし顔幅似合う最適なものを選べる。この滑り止め３は１８０度回転する事により水平方向に並んだ穴の位置を入れ替えて使用する事もできるので左右の滑り止め３の間隔を専用工具を使わずに調整できる。ガイド８は滑り止め３に一体あるいは別の素材で中空の突起を作りガイド８とする。このガイド８にテンプル２を差し込みガイド８曲げる事により超弾性テンプル２を曲げる事が出来る。滑り止め３を頬骨の上側の窪みで頬骨に接触させ眼鏡の重量を支える。このようにすると肌との接触面積が大きくなり少々テンプル２の挟みつけが強くても圧力が分散され快適である。また滑り止め３で眼鏡を保持するのでジョイント４を単独で調整できモダン５の肌への接触をより微妙に調整できるようになる。そして鼻パッドが無くても眼鏡の重量は頬骨で受けリム１０側が滑り止め３を中心に下に回転する力をモダン５を耳の突起などに当てる事により抑える事が出来顔に接触しないメガネになる。モダン５はジョイント４の差し込む量で長さを調整し、上下左右に曲げて肌に当たる位置を調節出来る。テンプル２とジョイント４はそれぞれの穴の中で少し湾曲させる事により簡単に固定できる。図５の（Ａ）のようにモダンが滑り止め３の近くに来るようにすると眼鏡がコンパクトになる。（Ｂ）のようにモダン５が滑り止め３の後ろ側で側頭部に当たるようにすると普通の眼鏡と同じような感覚で眼鏡が装着できる。図６のように耳の内側の出っ張りにモダン５を当てるとより確実に支持できる。
【産業上の利用可能性】
【００１４】  眼鏡のテンプルの調整が簡単に調整できメガネ屋に行かなくても快適にメガネを使用できる。３Ｄ眼鏡や保護メガネ等通常している眼鏡の上から重ね掛けする眼鏡をしても、テンプルの位置が異なるので痛くなりにくい。
【符号の説明】
【００１５】１  ブリッジ
２  テンプル
３  滑り止め
４  ジョイント
５  モダン
６，６Ａ  ６Ｂ  テンプル用穴
７，７Ａ  ７Ｂ  ジョイント用穴
８  ガイド
９  眼鏡
１０  リム
１１  重り
１２  カバー
１３  溝
１４  滑り止め用穴
【図１】
0005961776.tif 000002
【図２】
0005961776.tif 000003
【図３】
0005961776.tif 000004
【図４】
0005961776.tif 000005
【図５】
0005961776.tif 000006
【図７】
0005961776.tif 000007
【図８】
0005961776.tif 000008
【図９】
0005961776.tif 000009
【図１０】
0005961776.tif 000010
【図１１】
0005961776.tif 000011
【図１２】
0005961776.tif 000012
【図１３】
0005961776.tif 000013
【図６】
0005961776.tif 000014